(57)【要約】【課題】  傾斜があり足場の不安定な屋根の上であってもソーラーパネルを安全且つ迅速に設置することができるソーラーパネル設置用器具を提供する。【解決手段】  ソーラーパネル設置用器具１０は、板状部材からなるベース部１２と、このベース部１２の厚さ方向一方側の面に立設されたリング状の突出部１４と、ベース部１２を屋根に固定するための複数の取付ネジ１６と、を有して構成されている。【選択図】図２
2007063933.tif 000002
【特許請求の範囲】
【請求項１】
板状部材となるベース部と、該ベース部の厚さ方向一方側の面に立設されたリング状の突出部と、前記ベース部を屋根に固定するための固定手段と、を有して構成されていることを特徴とするソーラーパネル設置用器具。
【請求項２】
請求項１において、
前記突出部は、前記ベース部における前記厚さ方向一方側の面の中心位置よりも外縁方向に偏って配設されていることを特徴とするソーラーパネル設置用器具。
【請求項３】
板状部材、及び該板状部材に一体的に形成されて側面視略Ｌ字形状となるＬ字部材を有するベース部と、
該ベース部の前記板状部材の厚さ方向一方側の面に立設されたリング状の突出部と、
前記ベース部のＬ字部材を屋根に固定するための固定手段と、を有して構成されていることを特徴とするソーラーパネル設置用器具。
【請求項４】
請求項１乃至３のいずれかにおいて、
前記固定手段は、複数の取付ネジからなり、
前記ベース部には、前記取付ネジを挿通可能な取付孔が形成されていることを特徴とするソーラーパネル設置用器具。
【請求項５】
請求項４において、
前記取付孔の少なくとも開口部周縁には、防水ゴムが配設されていることを特徴とするソーラーパネル設置用器具。
【請求項６】
請求項４又は５において、
複数の前記取付孔は、一方方向に約４８０ｍｍの間隔で配置されていると共に、前記一方方向と略直交方向に約５０ｍｍの間隔で配置されていることを特徴とするソーラーパネル設置用器具。
【請求項７】
請求項１乃至６のいずれかにおいて、
前記ベース部における前記厚さ方向一方側の面から前記突出部の最上部までの高さは、約３０ｍｍ〜４０ｍｍの範囲に設定されていることを特徴とするソーラーパネル設置用器具。
【請求項８】
請求項１乃至７のいずれかにおいて、
前記ベース部、前記突出部、及び、前記取付ネジの少なくとも１つには、防錆加工が施されていることを特徴とするソーラーパネル設置用器具。
【発明の詳細な説明】
【技術分野】
【０００１】
本発明は、住宅や工場などの屋根にソーラーパネルを設置するために用いられるソーラーパネル設置用器具に関する。
【背景技術】
【０００２】
従来、ソーラーパネル（太陽電池）を用いて太陽光エネルギーを電気エネルギーに変換する太陽光発電が広く知られている。そして、このような太陽光発電に用いられるソーラーパネルは、より多くの太陽光エネルギーを吸収すべく、住宅や工場などの屋根に設置されるのが一般的である（例えば、特許文献１参照）。
【特許文献１】特開２００４−１２４６６５号公報
【発明の開示】
【発明が解決しようとする課題】
【０００３】
しかしながら、大型で重量のあるソーラーパネルを、傾斜があり足場が不安定な屋根の上に設置するのは必ずしも容易ではなく、最悪の場合、設置作業の際にソーラーパネルを誤って屋根から落として破損してしまう例もある。また、施工コストの関係から、ソーラーパネルの施工の際、屋根に十分な足場を確保していない場合も多く、施工者の安全が十分に確保できていない可能性があった。
【０００４】
特に、近年では、デザイン性を重視した複雑な形状の屋根が多く採用されており、屋根の上におけるソーラーパネルの設置作業は従来にも増して困難な状況にある。
【０００５】
本発明は、このような問題点を解決するためになされたものであって、傾斜があり足場の不安定な屋根の上であってもソーラーパネルを安全且つ迅速に設置することができるソーラーパネル設置用器具を提供することを目的とする。
【課題を解決するための手段】
【０００６】
本発明に係るソーラーパネル設置用器具は、板状部材となるベース部と、該ベース部の厚さ方向一方側の面に立設されたリング状の突出部と、前記ベース部を屋根に固定するための固定手段と、を有して構成されていることによって、上記課題を解決したものである。
【０００７】
又、本発明に係るソーラーパネル設置用器具は、板状部材、及び該板状部材に一体的に形成されて側面視が略Ｌ字形状となるＬ字部材を有するベース部と、該ベース部の板状部材の厚さ方向一方側の面に立設されたリング状の突出部と、前記ベース部のＬ字部材を屋根に固定するための固定手段と、を有して構成されていることによって、上記同様の課題を解決したものである。
【０００８】
本発明によれば、ソーラーパネルを設置する作業者の安全帯（ベルト）の一端を突出部に固定したり、作業者が突出部を手でつかんで作業することによって、屋根の上であっても、ソーラーパネルの設置作業を安定的に行うことができる。そのため、傾斜があり足場の不安定な屋根の上であってもソーラーパネルを安全且つ迅速に設置することができる。
【０００９】
なお、前記突出部は、前記ベース部における前記厚さ方向一方側の面の中心位置よりも外縁方向に偏って配設されていれば、ソーラーパネル設置用器具を屋根に取り付けたままソーラーパネルを設置する場合であっても、ソーラーパネル設置用器具の大部分を覆って隠すようにソーラーパネルを設置することができ、ソーラーパネル設置用器具により屋根の外観が損なわれることがない。なお、このようにソーラーパネル設置用器具を屋根に取り付けたままにすれば、ソーラーパネル設置後の修理や点検などを安全且つ迅速に行うことができる。
【００１０】
又、前記固定手段は、複数の取付ネジからなり、前記ベース部には、前記取付ネジを挿通可能な取付孔が形成されていれば、ソーラーパネル設置用器具を容易且つ確実に取付けることができると共に、屋根からの取り外しも容易である。又、屋根に形成された瓦用取付穴（ネジ穴）を利用して、ソーラーパネル設置用器具を取り付けることができる場合もあり、この場合、屋根への取付孔の加工が不要となる。
【００１１】
更に、前記取付孔の開口部周縁には、防水ゴムが配設されていれば、屋内への雨の侵入を未然に防止することができる。
【００１２】
更に又、複数の前記取付孔は、一方方向に約４８０ｍｍの間隔で配置されていると共に、前記一方方向と略直交方向に約５０ｍｍの間隔で配置されていれば、一般的なストレート瓦の設置に用いられるストレート瓦用取付穴を利用してベース部を固定することができ、屋根への取付孔の加工が不要となる。
【００１３】
又、前記ベース部における前記厚さ方向一方側の面から前記突出部の最上部までの高さが、約３０ｍｍ〜４０ｍｍの範囲に設定されていれば、一般的なソーラーパネルの厚みは約８０ｍｍであるため、ソーラーパネル設置用器具を屋根に取り付けたままソーラーパネルを設置する場合でも、ソーラーパネル設置用器具の突出部がソーラーパネルの影に隠れるようにソーラーパネルを設置すれば、ソーラーパネル設置用器具により屋根の外観が損なわれることがない。
【００１４】
更に、前記ベース部、前記突出部、及び、前記取付ネジの少なくとも１つには、防錆加工が施されていれば、前記ベース部、前記突出部、及び、前記取付ネジの耐腐食性を高めることができる。
【発明の効果】
【００１５】
本発明に係るソーラーパネル設置用器具は、傾斜があり足場の不安定な屋根の上であってもソーラーパネルを安全且つ迅速に設置することができるという優れた効果を有する。
【発明を実施するための最良の形態】
【００１６】
以下、図面を用いて、本発明の実施例１及び２に係るソーラーパネル設置用器具について詳細に説明する。
【実施例１】
【００１７】
図１及び図２は、本発明の実施例１に係るソーラーパネル設置用器具１０の略示平面図及び略示正面図をそれぞれ示したものである。
【００１８】
このソーラーパネル設置用器具１０は、長方形の板状部材からなるベース部１２と、このベース部１２の厚さ方向一方側の面に立設されたリング状の突出部１４と、ベース部１２を住宅や工場などの屋根に固定するための複数の取付ネジ１６（図２には１つのみ図示）と、を有して構成されている。
【００１９】
なお、本発明に係る「ソーラーパネル設置用器具」は、例えば、図３（Ａ）に示されるような、ストレート瓦やスレート材等を用いたストレートタイプ屋根１８Ａ、同図（Ｂ）に示されるような一般瓦タイプ屋根１８Ｂ、同図（Ｃ）に示されるような金属瓦棒タイプ屋根１８Ｃなどに広く適用することができるが、本実施例１に係るソーラーパネル設置用器具１０は、ストレートタイプ屋根１８Ａに特に好適である。
【００２０】
図１及び図２に戻って、ベース部１２には、各取付ネジ１６を挿通可能な取付孔１２Ａが複数形成されている。
【００２１】
これら複数の取付孔１２Ａは、一方方向（図１のＸ方向）に約４８０ｍｍの間隔で配置されていると共に、前記一方方向と略直交方向（図１のＹ方向）に約５０ｍｍの間隔で配置されている。又、取付孔１２Ａの上下開口部周縁には、図２に示されるように、ブチルゴムからなる防水ゴム２０が配設されている。
【００２２】
突出部１４は、本実施例１では、正面視（図２参照）で略コの字形状に成形されており、ベース部１２の厚さ方向一方側の面から突出部１４の最上部までの高さ（図２のＨで示される高さ）は、約３０ｍｍ〜４０ｍｍの範囲に設計される（理由は後述する）。又、突出部１４は、ベース部１２における厚さ方向一方側の面の中心位置に対して、長手方向の外縁方向（図２では左側）に偏って配設されている。詳細には、長手方向全域における一端から４分の１の点を少なくともまたぐ様にして、突出部１４が設置されている。
【００２３】
なお、本発明に係る「突出部」の形状は本実施例１に示される形状に限定されるものではなく、例えば、平面視で半円形形状に成形してもよい。即ち、本発明に係る「突出部」はリング状の部材であればよく、換言すれば、ソーラーパネルの設置を行う作業者の安全帯の一端を固定することができたり、作業者が手でつかむことができるような形状であればよい。
【００２４】
又、本発明に係る「ベース部」及び「突出部」の材質は特に限定されないが、ベース部１２及び突出部１４の強度や耐腐食性を高めるためには、両者をステンレス製とすることが好ましく、防錆加工を施して耐腐食性を高めることがより好ましい。
【００２５】
取付ネジ１６としては、従来公知の一般的なネジを適用することができるが、ベース部１２及び突出部１４と同様に、防錆加工を施して耐腐食性を高めることが好ましい。なお、本発明に係る「固定手段」は、本実施例１に示される取付ネジ１６に限定されるものではなく、ベース部１２を屋根に固定できる手段であればよい。従って、例えば、ボルトやナット、釘などを用いてベース部１２を屋根に固定してもよく、又、ベース部１２を屋根に接着固定してもよい。ここでは図示しないが、好ましくは皿ネジを用いることで、取り付けネジ１６がベース部１２から突出しないようにすることも好ましい。
【００２６】
次に、図４を用いて、このソーラーパネル設置用器具１０を用いたソーラーパネル設置方法について説明する。
【００２７】
まず、予め、ソーラーパネル設置用器具１０のベース部１２を複数の取付ネジ１６で屋根に固定する。スレート材タイプの場合は、スレート材の表面側にソーラーパネル設置用器具１０を配置し、このスレート材を貫通して裏側の梁材に取付ネジ１６が固定されるようにする。
【００２８】
次に、ソーラーパネルの設置作業を行う作業者２４は、自身の安全帯２２の一端を、ソーラーパネル設置用器具１０の突出部１４に固定する。これにより、作業者２４は、ソーラーパネル設置用器具１０の突出部１４に支持されつつ屋根の上を安全に移動することができ、ソーラーパネル２６の運搬や設置を容易に行うことができる。
【００２９】
なお、屋根に配設するソーラーパネル設置用器具１０の個数は１つに限定されるものではなく、上記図４に示されるように複数（この例では３つ）のソーラーパネル設置用器具１０を配設すれば、作業者２４の移動範囲を更に広げることができる。又複数の作業者２４によってソーラーパネル２６の設置作業を行うこともでき、ソーラーパネル２６の設置作業の効率をより高めることができる。又、本実施例１では、ソーラーパネル設置用器具１０に作業者２４の安全帯２２を固定する例を示したが、他にも、作業者２４がソーラーパネル設置用器具１０の突出部１４を手でつかんでソーラーパネル２６の設置を行うようなことも考えられる。また、ドライバーやドリル等の各種工具にストラップを付けておけば、これらの工具をソーラーパネル設置用器具１０に固定することが出来、工具の落下を防止することも可能になる。
【００３０】
更に、ソーラーパネル設置用器具１０は、ソーラーパネル２６の設置後に取り外してもよく、又、取り付けたままとしてもよい。なお、ソーラーパネル設置用器具１０を取り付けたままにする場合であっても、図５（Ａ）に示されるように、ソーラーパネル設置用器具１０の大部分を覆うようにソーラーパネル２６を設置すれば、ソーラーパネル設置用器具１０により屋根の外観が損なわれることがない。又、図５（Ｂ）に示されるように、ソーラーパネル設置用器具１０の突出部１４がソーラーパネル２６の影に隠れるようにソーラーパネル２６を設置すれば、ソーラーパネル設置用器具１０により屋根の外観が損なわれることがない。
【００３１】
以上説明したように、本実施例１に係るソーラーパネル設置用器具１０は、板状部材からなるベース部１２と、このベース部１２の厚さ方向一方側の面に立設されたリング状の突出部１４と、ベース部１２を屋根に固定するための固定手段（本実施例１では取付ネジ１６）と、を有して構成されているため、ソーラーパネルを設置する作業者の安全帯の一端を突出部１４に固定したり、作業者が突出部１４を手でつかんで作業することによって、屋根の上であっても、ソーラーパネルの設置作業を安定的に行うことができる。そのため、傾斜があり足場の不安定な屋根の上であってもソーラーパネルを安全且つ迅速に設置することができる。
【００３２】
又、突出部１４は、ベース部１２における厚さ方向一方側の面の中心位置よりも外縁方向に偏って配設されているため、ソーラーパネル設置用器具１０を屋根に取り付けたままソーラーパネルを設置する場合であっても、上記図５（Ａ）に示されるように、ソーラーパネル設置用器具１０の大部分を覆って隠すようにソーラーパネル２６を設置することができ、ソーラーパネル設置用器具１０により屋根の外観が損なわれることがない。また、屋根において、可能な限り広範囲に多くのソーラーパネルを設置して発電能力を増大させようとするのが通常であるところ、突出部１０が偏って配設されているので、この突出部１０を屋根の外縁側に近接配置すれば、屋根のソーラーパネル設置可能範囲を減少させることなく広範囲に亘ってソーラーパネルを設置することが可能になる。つまり、施工の安全性、美観、効率が合理的に両立されていることになる。
【００３３】
なお、このようにソーラーパネル設置用器具１０を屋根に取り付けたままにすれば、ソーラーパネル２６の設置後の修理や点検などを安全且つ迅速に行うことができる。
【００３４】
更に、固定手段は、複数の取付ネジ１６からなり、ベース部１２には、取付ネジ１６を挿通可能な取付孔１２Ａが形成されているため、ソーラーパネル設置用器具１０を容易且つ確実に取付けることができると共に、屋根からの取り外しも容易である。又、屋根に形成された瓦用取付穴（ネジ穴）を利用して、ソーラーパネル設置用器具１０を取り付けることができる場合もあり、この場合、屋根への取付孔の加工が不要となる。
【００３５】
更に、取付孔１２Ａの開口部周縁には、防水ゴム２０が配設されているため、屋内への雨の侵入を未然に防止することができる。勿論、ベース部１２における屋根側の面の全体に防水ゴム２０を配置して、防水性を更に向上させることも好ましい。
【００３６】
更に又、複数の取付孔１２Ａは、一方方向に約４８０ｍｍの間隔で配置されていると共に、前記一方方向と略直交方向に約５０ｍｍの間隔で配置されているため、スレート材や瓦材等の屋根材の背面側（屋内側）に配置されている傾斜方向の梁材（タル木）の配置間隔と一致するようになっている。この結果、ソーラーパネル設置用器具１０を、梁材に直接固定することが出来るので、荷重に対する耐久力を向上させることが出来る。また、一般的なストレート瓦の設置に用いられるストレート瓦用取付穴を利用してベース部を固定することも想定でき、屋根への取付孔の加工を扶養とすることも可能になる。
【００３７】
又本実施形態では、ベース部１２における厚さ方向一方側の面から突出部１４の最上部までの高さが、約３０ｍｍ〜４０ｍｍの範囲に設定されている。これは、一般的なソーラーパネルの厚みは約８０ｍｍであるため、ソーラーパネル設置用器具１０を屋根に取り付けたままにしておく場合でも、上記図５（Ｂ）に示されるように、ソーラーパネルの上縁にソーラーパネル設置用器具１０を設置すれば、突出部１４がソーラーパネル２６の影に隠れてしまうので、ソーラーパネル設置用器具１０により屋根の外観が損なわれることがない。
【００３８】
更に、ベース部１２、突出部１４、及び、取付ネジ１６の少なくとも１つには、防錆加工が施されていれば、ベース部１２、突出部１４、及び、取付ネジ１６の耐腐食性を高めることができる。
【実施例２】
【００３９】
次に、本発明の実施例２に係るソーラーパネル設置用器具３０について詳細に説明する。
【００４０】
図６は本実施例２に係るソーラーパネル設置用器具３０の略示平面図、図７は略示正面図、図８は略示側面図をそれぞれ示したものである。
【００４１】
このソーラーパネル設置用器具３０は、板状部材３２Ａ及びこの板状部材３２Ａに一体的に形成された側面視（図８参照）が略Ｌ字形状のＬ字部材３２Ｂからなるベース部３２と、このベース部３２の板状部材３２Ａの厚さ方向一方側の面に立設されたリング状の突出部３４と、ベース部３２のＬ字部材３２Ｂを屋根に固定するための複数の取付ネジ３６（図８には１つのみ図示）と、を有して構成されている。また、Ｌ字部材３２における屈曲部分は、板状部材３２Ａに対して板幅が狭くなるように設定されている。更に、このＬ字部材３２の屈曲量は、汎用の瓦の厚みと略一致するように設定されている。
【００４２】
このソーラーパネル設置用器具３０は、上記図３（Ｂ）に示されるような瓦屋根１８Ｂに適用される。そして、図９及び図１０に示されるように、ベース部３２の板状部材３２Ａ側を下段の瓦３８Ａの表側に配置すると共に、ベース部３２のＬ字部材３２Ｂを上段の瓦３８Ｂの裏側に挿入して、該上段の瓦３８Ｂの裏側に位置する梁材に直接固定する。このようにすることで、一般瓦タイプの屋根であっても、Ｌ字部材３２の屈曲によって、瓦３８Ａ、３８Ｂを設置したまま、ソーラーパネル設置用器具３０を固定することが可能になる。特に、Ｌ字部材３２における屈曲部分を幅狭にしていることから、仮に、上段の瓦３８Ｂの裏側の一部を切り欠く必要がある場合に、その切り欠き量を低減させることが可能になる。
【００４３】
本実施例２に係るソーラーパネル設置用器具３０によれば、上記実施例１に係るソーラーパネル設置用器具１０と同様に、ソーラーパネルを設置する作業者の安全帯の一端を突出部３４に固定したり、作業者が突出部３４を手でつかんで作業したりすることによって、屋根の上であっても、ソーラーパネルの設置作業を安定的に行うことができる。そのため、傾斜があり足場の不安定な屋根の上であってもソーラーパネルを安全且つ迅速に設置することができる。
【００４４】
また、ベース部３２におけるＬ字部材３２Ｂは、上段側の瓦３８Ｂによって覆い隠されてしまうので、施工後に放置したとしても、屋根の美観を損ねることを回避できる。従って、後日のメンテナンス時にも、ソーラーパネル設置用器具３０を常に利用できるので、屋根上での作業の安全を確保することが出来る。
【産業上の利用可能性】
【００４５】
本発明によれば、安全にソーラーパネルの施工作業を実施することが可能になる。
【図面の簡単な説明】
【００４６】
【図１】本発明の実施例１に係るソーラーパネル設置用器具の略示平面図
【図２】同ソーラーパネル設置用器具の略示正面図
【図３】（Ａ）ストレート瓦屋根の一部を示す外観斜視図、（Ｂ）瓦屋根の一部を示す外観斜視図、（Ｃ）金属瓦棒屋根の一部を示す外観斜視図
【図４】本発明の実施例１に係るソーラーパネル設置用器具を屋根に取り付けた例を示す外観斜視図
【図５】（Ａ）同ソーラーパネル設置用器具の他の取り付け例を示した図、（Ｂ）同ソーラーパネル設置用器具の更に他の取り付け例を示した図、
【図６】本発明の実施例２に係るソーラーパネル設置用器具の略示平面図
【図７】同ソーラーパネル設置用器具の略示正面図
【図８】同ソーラーパネル設置用器具の略示側面図
【図９】同ソーラーパネル設置用器具を瓦屋根に取り付けた例を示す略示平面図
【図１０】図９の矢視Ｘから見た略示外観図
【符号の説明】
【００４７】
１０、３０・・・ソーラーパネル設置用器具
１２、３２・・・ベース部
１４、３４・・・突出部
１６、３６・・・取付ネジ
１８Ａ・・・ストレート瓦屋根
１８Ｂ・・・瓦屋根
１８Ｃ・・・金属瓦棒屋根
２０・・・防水ゴム
２２・・・安全帯
２４・・・作業者
２６・・・ソーラーパネル
【図１】
2007063933.tif 000003
【図２】
2007063933.tif 000004
【図３】
2007063933.tif 000005
【図４】
2007063933.tif 000006
【図５】
2007063933.tif 000007
【図６】
2007063933.tif 000008
【図７】
2007063933.tif 000009
【図８】
2007063933.tif 000010
【図９】
2007063933.tif 000011
【図１０】
2007063933.tif 000012